(57)【要約】  喫煙物品のための容器は、各々が喫煙物品の個別の束を収容するための少なくとも２つのヒンジ留め接続されたパックを含む。容器は、第１の壁を有する第１のパックと、第１の壁を有する第２のパックと、第１の折り畳み線に沿って第１のパックの第１の壁にヒンジ留め連結され、かつ第１の折り畳み線に対して実質的に垂直な第２の折り畳み線に沿って第２のパックの第１の壁にヒンジ留め連結されたコネクタ（１０）とを含む。２つのヒンジ留め接続されたパックは、２つの垂直な折り畳み線のいずれの周りにもヒンジで移動させることができる。【選択図】図１
2010534166.tif 000002
【特許請求の範囲】
【請求項１】
各々が喫煙物品の個別の束を収容するための少なくとも２つのヒンジ留め接続されたパックを含む、喫煙物品のための容器であって、
第１の壁を有する第１のパックと、
第１の壁を有する第２のパックと、
第１の折り畳み線に沿って前記第１のパックの前記第１の壁にヒンジ留め連結され、かつ該第１の折り畳み線に対して実質的に垂直な第２の折り畳み線に沿って前記第２のパックの前記第１の壁にヒンジ留め連結されたコネクタ（１０）と、
を含むことを特徴とする容器。
【請求項２】
前記コネクタ（１０）は、前記第１のパック及び前記第２のパックの少なくとも一方と一体であることを特徴とする請求項１に記載の容器。
【請求項３】
前記コネクタ（１０）は、前記第１のパック及び前記第２のパックと一体であることを特徴とする請求項２に記載の容器。
【請求項４】
少なくとも３つのヒンジ式パネルを含むコネクタ（１０）、
を含み、
前記コネクタは、
前記第１のパックの前記第１の壁に固定された第１のパネル（１２）、
前記第２のパックの前記第１の壁に固定された第２のパネル（１４）、及び
第１の折り畳み線に沿って前記第１のパネル（１２）にヒンジ留め接続され、かつ該第１の折り畳み線と実質的に垂直な第２の折り畳み線に沿って前記第２のパネル（１４）にヒンジ留め連結された第３のパネル（１６）、
を含む、
ことを特徴とする請求項１に記載の容器。
【請求項５】
前記コネクタ（１０）は、
前記第２の折り畳み線に沿って前記第３のパネル（１６）にヒンジ留め接続され、かつ該第２の折り畳み線と実質的に垂直な第３の折り畳み線に沿って前記第２のパネル（１２）にヒンジ留め連結された第４のパネル（１８）、
を更に含む、
ことを特徴とする請求項４に記載の容器。
【請求項５】
前記コネクタ（１０）は、
前記第３の折り畳み線に沿って前記第４のパネル（１８）にヒンジ留め接続され、かつ第４の折り畳み線と実質的に垂直な第５の折り畳み線に沿って前記第２のパネル（１２）にヒンジ留め接続された第５のパネル（２０）、
を更に含む、
ことを特徴とする請求項５に記載の容器。
【請求項６】
前記第１のパック及び前記第２のパックは、スライド及びシェル式パックであることを特徴とする請求項１から請求項５のいずれか１項に記載の容器。
【請求項７】
前記第１のパック及び前記第２のパックは、ヒンジ蓋パックであることを特徴とする請求項１から請求項６のいずれか１項に記載の容器。
【請求項８】
前記第１のパックは、該第１のパックの前記第１の壁にわたって延びるヒンジ線の周りでピボット回転可能なヒンジ蓋を有し、前記第２のパックは、該第２のパックの前記第１の壁にわたって延びるヒンジ線の周りでピボット回転可能なヒンジ蓋を有することを特徴とする請求項７に記載の容器。
【請求項９】
前記第１のパックは、該第１のパックの前記第１の壁に平行かつ対向する該第１のパックの第２の壁にわたって延びるヒンジ線の周りでピボット回転可能なヒンジ蓋を有し、前記第２のパックは、該第２のパックの前記第１の壁に平行かつ対向する該第２のパックの第２の壁にわたって延びるヒンジ線の周りでピボット回転可能なヒンジ蓋を有することを特徴とする請求項７に記載の容器。
【請求項１０】
前記第１のパック及び前記第２のパックは、異なる寸法のものであることを特徴とする請求項１から請求項９のいずれか１項に記載の容器。
【発明の詳細な説明】
【背景技術】
【０００１】
ＷＯ−Ａ−２００６／０７９７９９は、少なくとも第１及び第２のストラップ及びブランクによって縄ばしご配列に接続された２つのパックを含むパッケージ、及びそのようなパッケージを形成する方法を開示している。
一態様では、ＷＯ−Ａ−２００６／０７９７９９は、各々が第１の縁部及び第１の縁部と平行な第２の縁部によって拘束された第１の面を有し、かつ各々が品目を収容することができる第１及び第２のパックと、第１及び第２のパックに取り付け可能な第１及び第２のストラップを含み、かつ第１及び第２のパックを接続する手段とを含み、パックの第１の位置において、第１及び第２のパックの第１の面が、互いに面しており、第１及び第２のパックの第１の縁部が互いに隣接し、第１及び第２のパックの第２の縁部が互いに隣接し、第１及び第２のストラップが、第１の面にわたって延び、かつ第１及び第２の縁部の周りにヒンジ留めされ、第１のストラップが、第１のパックの第１の縁部の周りにヒンジ留めされ、かつ第２のパックの第２の縁部の周りにヒンジ留めされ、第２のストラップが、第１のパックの第２の縁部の周りにヒンジ留めされ、かつ第２のパックの第１の縁部の周りにヒンジ留めされ、それによって第１及び第２のパックが、少なくとも第１の位置と、第１の縁部の周りで第１のパックに対して第２のパックが回転された第２の位置と、第２の縁部の周りで第１のパックに対して第２のパックが回転された第３の位置との間で一方が他方に対して移動可能であるパッケージを説明している。
【０００２】
別の態様では、ＷＯ−Ａ−２００６／０７９７９９は、パッケージの第１及び第２のパックを接続する第１及び第２のストラップを含む手段を形成するためのブランクを説明しており、これは、第１のストラップを設ける少なくとも第１の領域と第２のストラップを設ける第２の領域とを有する材料の単一シートを含み、これらの領域は、第２の領域から第１の領域を分離するように作動可能な線によって接合されており、この線は、そこに第１、第２、及び第３の区画を有し、第２の区画は、脆弱化された区画であり、そのために第１及び第２の領域は、分離可能であり、かつ第１及び第２の区画は、脆弱化された区画のそれぞれの端部からシートの縁部まで延びる切り離し部分になる。
【０００３】
更に別の態様では、ＷＯ−Ａ−２００６／０７９７９９は、パッケージの第１及び第２のパックを接続する第１及び第２のストラップを含む手段を形成するための個別のブランクを説明しており、これは、離間した主要な縁部を有する細長い孔がある第１の細長い区画と、この孔と整列して第１の区画の副次的な縁部から延びる第２の区画とを有する材料の単一シートを含み、第２の区画は、第２の区画の自由な副次的縁部が孔を通して縫うように進むことができ、かつ第１の区画の自由な副次的縁部に取り付くことができるように、孔の最小幅と実質的に等しいか又はそれ未満の最大幅と孔の長さよりも大きい長さとを有する。
【０００４】
ＷＯ−Ａ−２００６／０７９７９９の明細書に説明されてその図面に示されたパッケージの全ての第１及び第２のパックは、個別の接合ブランクにより又は個別の縄ばしご構造により縄ばしご配列で接続されている。パッケージを製造するために、個別の接合ブランクは、第１及び第２のパックに固定されるか、又は第１及び第２のパックは、個別の縄ばしご構造で区画を収容している２つのパック内に位置決めされ、一部の例では、その２つのパックに固定される。
【先行技術文献】
【特許文献】
【０００５】
【特許文献１】ＷＯ−Ａ−２００６／０７９７９９
【特許文献２】ＵＳ−Ａ−５，６９２，５２５
【発明の概要】
【発明が解決しようとする課題】
【０００６】
簡単な方法で製造することができる縄ばしご又は類似の配列で接続された２つ又はそれよりも多くのパックを含む容器を提供することが望ましいと考えられる。
【課題を解決するための手段】
【０００７】
本発明により、各々が喫煙物品の個別の束を収容するための少なくとも２つのヒンジ留め接続されたパックを含む喫煙物品のための容器を提供し、容器は、対向する第１及び第２の縁部を備えた第１の壁を有する第１のパックと、対向する第１及び第２の縁部を備えた第１の壁を有する第２のパックと、第１の折り畳み線に沿って第１のパックの第１の壁にヒンジ留め連結され、かつ第１の折り畳み線に対して実質的に垂直な第２の折り畳み線に沿って第２のパックの第１の壁にヒンジ留め連結されたコネクタとを含む。
【０００８】
本発明による容器の第１のパック及び第２のパックは、第１の位置と第２の位置の間で第１の折り畳み線の周りに互いに対してヒンジ留め可能である。第１の位置では、第１及び第２のパックの第１の壁は、平行かつ対向しており、第１及び第２のパックの第１の壁の第１の縁部は、隣接しており、第１及び第２のパックの第１の壁の第２の縁部も隣接している。第２の位置では、第１及び第２のパックの第１の壁は、実質的に同一平面にある。
本発明による容器の第１のパック及び第２のパックはまた、最初の位置と、第１及び第２のパックの第１の壁が実質的に同一平面にある第３の位置との間で第２の折り畳み線の周りに互いに対してヒンジ留め可能である。
【０００９】
本発明による容器の第１のパック及び第２のパックは、従って、縄ばしご配列と異なることがない二重ヒンジ方式でコネクタによって有利にヒンジ留め接続される。更に、本発明による容器の第１のパック及び第２のパックは、互いに対して２つの実質的に垂直な方向に有利にヒンジ留め可能である。
本発明による容器のコネクタは、第１のパックと一体に、第２のパックと一体に、又は第１のパック及び第２のパックと一体にすることができる。代替的に、本発明による容器の第１のパック、第２のパック、及びコネクタは、別々のブランクから形成することができる。
【００１０】
本発明の好ましい実施形態では、容器は、少なくとも３つのヒンジ式パネルを含む個別のコネクタを含み、コネクタは、第１のパックの第１の壁に固定された第１のパネルと、第２のパックの第１の壁に固定された第２のパネルと、第１の折り畳み線に沿って第１のパネルにヒンジ留め接続され、かつ第２の折り畳み線に沿って第２のパネルにヒンジ留め連結された第３のパネルとを含む。
この好ましい実施形態では、コネクタの少なくとも３つのヒンジ式パネルは、第１の位置で１つの上に重なっている。第２の位置では、コネクタの第３のパネルが、コネクタの第２のパネルの上に重なり、第３の位置では、コネクタの第３のパネルが、コネクタの第１のパネルの上に重なっている。
【００１１】
コネクタの第３のパネルは、第２の折り畳み線に沿って第２のパネルにヒンジ留め接続することができる。代替的に、コネクタは、更に、第２の折り畳み線に沿って第３のパネルにヒンジ留め接続されて第２の折り畳み線と実質的に垂直な第３の折り畳み線に沿って第２のパネルにヒンジ留め連結された第４のパネルを含むことができる。
コネクタが、第４のパネルを更に含む場合、本発明による容器の第１のパック及び第２のパックはまた、第１の位置と、第１及び第２のパックの第１の壁が実質的に同一面にある第４の位置との間で第３の折り畳み線の周りに互いに対してヒンジ留め可能である。コネクタの第３のパネルは、第２の位置でコネクタの第２及び第４のパネルの上に重なり、コネクタの第４のパネルは、第３の位置でコネクタの第２のパネルの上に重なり、コネクタの第４のパネルは、第４の位置でコネクタの第１及び第３のパネルの上に重なっている。
【００１２】
少なくとも４つのヒンジ式パネルを含むコネクタの提供により、本発明による容器の第１のパック及び第２のパックが互いに対して３つの異なる方向にヒンジ留めされることが有利に可能になる。
第４のパネルは、第３の折り畳み線に沿って第２のパネルにヒンジ留め接続することができる。代替的に、コネクタは、更に、第３の折り畳み線に沿って第４のパネルにヒンジ留め接続されて第３の折り畳み線と実質的に垂直な第４の折り畳み線に沿って第２のパネルにヒンジ留め連結された第５のパネルを含むことができる。
【００１３】
コネクタが、第５のパネルを更に含む場合、第１のパック及び第２のパックは、第１の位置と、第１及び第２のパックの第１の壁が実質的に同一平面にある第５の位置との間で第４の折り畳み線の周りに互いに対してヒンジ留め可能である。コネクタの第３のパネルは、第２の位置でコネクタの第２、第４、及び第５のパネルの上に重なり、コネクタの第４のパネルは、第３の位置でコネクタの第２及び第５のパネルの上に重なり、コネクタの第５のパネルは、第４の位置でコネクタの第２のパネルの上に重なり、コネクタの第５のパネルは、第５の位置でコネクタの第１、第３、及び第４のパネルの上に重なっている。
【００１４】
少なくとも５つのヒンジ式パネルを含むコネクタの提供により、本発明による容器の第１のパック及び第２のパックが互いに対して４つの異なる方向にヒンジ留めされることが有利に可能になる。
好ましくは、第５のパネルは、第４の折り畳み線に沿って第２のパネルにヒンジ留め接続される。しかし、必要に応じて、コネクタは、更に、第４の折り畳み線に沿って第５のパネルにヒンジ留め接続されて第４の折り畳み線と実質的に垂直な第５の折り畳み線に沿って第２のパネルにヒンジ留め接続された第６のパネルを含むことができる。
【００１５】
本発明の代替実施形態では、容器は、上述の少なくとも３つのヒンジ式パネルを含む別々のコネクタに類似した構成の１つ又はそれよりも多くのパネルを含む一体型コネクタを含む。本明細書全体を通して、用語「一体型」は、本発明による容器のコネクタと第１及び第２のパックの一方又は両方の第１の壁とが、単体の材料から、例えば、同じブランクから形成されることを意味する。
一体型コネクタは、第１のパックと一体であり、かつ第１の折り畳み線に沿って第１のパックの第１の壁にヒンジ留め接続することができる。この場合、第１のパックの第１の壁が、上述した別々のコネクタの第１のパネルに取って代わる。代替的に又は付加的に、一体型コネクタは、第２のパックと一体であり、かつ第２の折り畳み線に沿って第２のパックの第１の壁にヒンジ留め接続することができる。この場合、第２のパックの第１の壁が、上述した別々のコネクタの第２のパネルに取って代わる。
【００１６】
好ましくは、第１の折り畳み線は、横方向折り畳み線であり、第２の折り畳み線は、縦方向折り畳み線である。より好ましくは、第１の折り畳み線は、横方向水平折り畳み線であり、第２の折り畳み線は、縦方向垂直折り畳み線である。
好ましくは、第１の折り畳み線は、第１のパックの第１の壁の対向する第１及び第２の縁部に対して実質的に垂直である第１のパックの第１の壁の第３の縁部と実質的に平行であり、かつそれに隣接している。好ましくは、第２の折り畳み線は、第１のパックの第１の壁の第１の縁部及び第１のパックの第１の壁の第２の縁部のうちの１番目のものと実質的に平行であり、かつそれに隣接している。
【００１７】
コネクタが、第４のパネルを含む場合、第３の折り畳み線は、好ましくは、第１のパックの第１の壁の第３の縁部に対向して第１のパックの第１の壁の対向する第１及び第２の縁部と実質的に垂直である第１のパックの第１の壁の第４の縁部と実質的に平行であり、かつそれに隣接している。コネクタが、第５のパネルを更に含む場合、第４の折り畳み線は、好ましくは、第１のパックの第１の壁の第１の縁部及び第１のパックの第１の壁の第２の縁部のうちの２番目のものと実質的に平行であり、かつそれに隣接している。
【００１８】
本発明による容器の第１のパック及び第２のパックの一方又は両方は、外側シェル及び外側シェル内の内側スライドを含むスライド及びシェル式パックとすることができる。代替的に又は付加的に、本発明の第１の態様による容器の第１のパック及び第２のパックの一方又は両方は、下部箱部分と下部箱部分にヒンジ留めされた上部蓋部分とを含むヒンジ蓋パックとすることができる。
第１のパックが、スライド及びシェル式パックの場合、コネクタは、好ましくは、実質的に第１のパックの第１の壁と同じ寸法とすることができる。第２のパックが、スライド及びシェル式パックの場合、第２のパックのコネクタは、好ましくは、実質的に第２のパックの第１の壁と同じ寸法とすることができる。
第１のパックが、ヒンジ蓋パックの場合、コネクタは、好ましくは、第１のパックの第１の壁の下部箱部分と実質的に同じ寸法のものである。第２のパックが、ヒンジ蓋パックの場合、コネクタは、好ましくは、第２のパックの第１の壁の下部箱部分と実質的に同じ寸法のものである。
【００１９】
好ましくは、本発明による容器の第１のパック及び第２のパックは、両方ともスライド及びシェル式パックか又は両方ともヒンジ蓋パックである。しかし、本発明による容器が、異なる種類の開閉手段が設けられた第１のパック及び第２のパックを含むことができることは認められるであろう。例えば、第１のパックをヒンジ蓋パックとし、第２のパックをスライド及びシェル式パックとすることができる。
本発明による容器の第１のパック及び第２のパックの両方がヒンジ蓋パックの場合、第１のパックは、第１のパックの第１の壁にわたって延びるヒンジ線の周りでピボット回転可能なヒンジ蓋を有することができ、第２のパックは、第２のパックの第１の壁にわたって延びるヒンジ線の周りでピボット回転可能なヒンジ蓋を有することができる。
【００２０】
本発明の代替実施形態では、第１のパックは、第１のパックの第１の壁に平行かつ対向する第１のパックの第２の壁にわたって延びるヒンジ線の周りでピボット回転可能なヒンジ蓋を有することができ、第２のパックは、第２のパックの第１の壁に平行かつ対向する第２のパックの第２の壁にわたって延びるヒンジ線の周りでピボット回転可能なヒンジ蓋を有することができる。
本発明による容器の第１のパック、第２のパック、及びコネクタが、別々のブランクで形成される場合、コネクタは、好ましくは、容器を形成するために第１のパック及び第２のパックに接着される。コネクタは、例えば、ホットメルト接着剤、接触接着剤、又は両面接着テープを使用して第１のパック及び第２のパックに接着することができる。
しかし、本発明による容器のコネクタをその第１及び第２のパックに固定するために、例えば、マジックテープ式ファスナ、磁石式ファスナ、又は嵌め合わせプラグ（雄）及びソケット（雌）式ファスナのような多様な他の公知の手段を使用することができることは認められるであろう。
【００２１】
本発明による容器は、好ましくは、第１及び第２のパックを第１の位置から第２、第３、及び第４の位置まで互いに対してヒンジで移動させるために消費者によって正の力を提供するべきであるように、第１の位置から第２、第３、又は第４の位置までの第１及び第２のパックの移動に抵抗する保持手段を更に含む。必要に応じて、本発明による容器は、第１の位置に向かう第１のパック及び第２のパックの移動を促す正の力を提供する保持手段を含むことができる。
【００２２】
例えば、本発明による容器の第１のパック及び第２のパックは、第１のパック上に設けられた第１の保持手段及び第２のパック上に設けられた第２の保持手段の解放可能な係合によって第１の位置で解放可能に接続することができる。第１の保持手段及び第２の保持手段は、あらゆる適切な公知の磁石式ファスナ、機械式ファスナ、接着式ファスナ、又はそれらの組合せを含むことができる。例えば、第１の保持手段及び第２の保持手段は、１つ又はそれよりも多くの解放可能な圧力作動式マジックテープ式ファスナ、スナップファスナ、又は他の嵌め合わせプラグ（雄）及びソケット（雌）式ファスナを含むことができる。
【００２３】
本発明による容器は、各々が喫煙物品の束、例えば、従来式の着火端部シガレット又は電気式喫煙システムと共に使用するためのシガレット（例えば、ＵＳ−Ａ−５，６９２，５２５に開示された種類のシガレット）のようなシガレット、シガー、又はシガリロを収容するための２つ又はそれよりも多くのヒンジ留め接続されたパックを含むことができる。好ましくは、本発明による容器は、各々がシガレットの個別の束を収容するための２つ又はそれよりも多くのヒンジ留め接続されたパックを含む。
【００２４】
本発明による容器の第１のパック及び第２のパックは、その寸法の適切な選択を通して、異なる数のシガレットの個別の束を収容するように設計することができる。代替的に又は付加的に、本発明による容器の第１のパック及び第２のパックは、異なる寸法のシガレット（例えば、異なる長さ又は異なる周囲長のシガレット）の個別の束を収容するように設計することができる。本発明による容器の第１のパック及び第２のパックは、例えば、異なる数のショート（約７０ｍｍから約７５ｍｍの長さ）、レギュラーサイズ（約８０ｍｍの長さ）、キングサイズ（約８４ｍｍの長さ）、スーパーキングサイズ、スリム、スーパースリム、又はワイドシガレットの個別の束を収容するように設計することができる。
【００２５】
本発明による容器はまた、それらの第１のパック及び第２のパックの寸法の適切な選択を通して、異なる全数の喫煙物品を保持するように設計できる。例えば、本発明によるシガレットのための容器は、組合せて全部で２０又は２１個のレギュラーサイズシガレットを収容するための第１のパック及び第２のパックを含むことができる。代替的に、本発明によるシガレットのための容器は、組合せて全部で１７又は１８個のワイドシガレットを収容するための第１のパック及び第２のパックを含むことができる。
【００２６】
本発明による容器の第１のパック及び第２のパックの長さ、幅、及び深さは、最初の位置では、得られる容器の全体寸法が、喫煙物品の従来型使い捨てパックの寸法と類似又は実質的に同じになるようなものとすることができる。例えば、第１のパック及び第２のパックの長さ、幅、及び深さは、最初又は第１の位置では、得られる容器の全体寸法が、２０個のシガレットの従来型使い捨てヒンジ蓋パックの寸法と同様になるようなものとすることができる。
【００２７】
本発明による容器は、異なる種類の喫煙物品の個別の束を収容するための第１のパック及び第２のパックを有利に含むことができる。広範囲の異なる種類のシガレットが生産されて販売されている。例えば、Ｂｕｒｌｅｙ、Ｏｒｉｅｎｔａｌ、及びＶｉｒｇｉｎｉａタバコのような独特な特徴的風味及び芳香を有する異なる種類のタバコが、単独で又はタバコ配合物における様々な量で使用され、異なる特徴的風味を有するシガレットの銘柄を生み出している。更に、普通のシガレット及び多くの異なる種類のフィルタ先端部を有するシガレットが、異なる長さ（例えば、レギュラーサイズ、キングサイズ、又はスーパーキングサイズ）、周囲長（例えば、スリム、又はスーパースリム）、風味の強さ、吸引抵抗、及び全粒子物質送出量と同様に製造されている。更に、メントールのような香味料を含有するシガレットも入手可能である。
【００２８】
本発明による容器は、タバコ配合物又は香味が異なるシガレットの個別の束を収容するための第１のパック及び第２のパックを含むことができる。代替的に又は付加的に、本発明による容器は、異なるサイズ（異なる長さ、異なる周囲長、又は異なる長さ及び異なる周囲長の両方）のシガレットの個別の束を収容するための第１のパック及び第２のパックを含むことができる。
本発明による容器の第１のパック及び第２のパックは、同じか又は異なる断面のものとすることができる。例えば、本発明による容器の第１のパック及び第２のパックの一方又は両方は、矩形、正方形、三角形、五角形、六角形、Ｄ字形状、半円形、又は半卵形断面とすることができる。
好ましくは、本発明による容器の第１のパック及び第２のパックは、実質的に平行六面体である。より好ましくは、本発明による容器の第１のパック及び第２のパックは、実質的に立方体である。
【００２９】
本発明による容器の第１のパック及び第２のパックは、１つ又はそれよりも多くの直角縦方向縁部、１つ又はそれよりも多くの直角横方向縁部、１つ又はそれよりも多くの丸形縦方向縁部、１つ又はそれよりも多くの丸形横方向縁部、１つ又はそれよりも多くの傾斜付き縦方向縁部、１つ又はそれよりも多くの傾斜付き横方向縁部、又はそれらのあらゆる適切な組合せを有することができる。
【００３０】
好ましくは、本発明による容器の第１のパック及び第２のパックは、実質的に同じ形状をしている。本発明による容器の第１のパック及び第２のパックの寸法は、同じか又は異なるとすることができる。好ましくは、本発明による容器の第１のパック及び第２のパックは、寸法が異なる。より好ましくは、本発明による容器の第１のパック及び第２のパックは、実質的に長さと幅が同じであるが、深さが異なるものである。
好ましくは、本発明による容器の第１のパックの第１の壁と第２のパックの第１の壁は、実質的に同じ寸法のものである。
【００３１】
好ましくは、第１のパックの第１の壁と第２のパックの第１の壁は、パックの主要な壁である。好ましくは、第１のパックの第１の壁は、第１のパックの前壁又は後壁である。好ましくは、第２のパックの第１の壁は、第２のパックの前壁又は後壁である。
本発明による容器の第１のパックと第２のパックは、好ましくは、１つ又はそれよりも多くの折り畳んだ積層ブランクから、より好ましくは、１つ又はそれよりも多くの折り畳んだ積層厚紙ブランクから形成される。
【００３２】
本発明による容器の第１のパック、第２のパック、及びコネクタの外面は、製造者又は銘柄ロゴ、商標、スローガン、及び他の消費者情報及び印しを印刷、エンボス加工、デボス加工、又はその他の方法で装飾する（例えば、ラベル又はステッカーを使用して）ことができる。同じか又は異なる製造者又は銘柄ロゴ、商標、スローガン、及び他の消費者情報及び印しは、第１のパック、第２のパック、及びコネクタの外面に付加することができることは認められるであろう。
【００３３】
本発明による容器のコネクタは、以下に限定されるものではないが、板紙、厚紙、プラスチック、金属（例えば、アルミニウムのような）、透明又は不透明な箔（例えば、ポリエチレン（ＰＥ）又はポリエチレンテレフタレート（ＰＥＴ）箔のような）、及び積層材料（例えば、紙／アルミニウム、プラスチック／紙／アルミニウム、又は他の積層体のような）を含む１つ又はそれよりも多くの適切な材料で形成することができる。
【００３４】
本発明による容器は、１つ又はそれよりも多くの窓又は切り欠きを設けたコネクタを含むことができる。好ましい実施形態では、１つ又はそれよりも多くの窓又は切り欠きは、容器の第１のパック、第２のパック、又は第１及び第２のパックの第１の壁上に設けられた画像と相互作用又は協働して更に別の画像を発生させる。
本発明による容器は、２つよりも多いパックを含むことができる。本発明による容器の第３及び後続のパックは、第１のパック及び第２のパックがヒンジ留め接続されたものと同じか又は異なる方法で、容器の１つ又はそれよりも多くの他のパックに接続することができる。
【００３５】
好ましくは、本発明による容器が３つ又はそれよりも多くのパックを含む場合、容器の各パックは、コネクタによって容器の少なくとも１つの他のパックに二重ヒンジ方式によりヒンジで接続される。例えば、本発明による容器は、それぞれ２つ、３つ、４つ、又は５つのコネクタによってヒンジ留め接続された３つ、４つ、５つ、又は６つのパックを含むことができ、容器の各パックは、容器のいずれか１つ又は２つの他のパックに二重ヒンジ方式によりヒンジで接続される。
本発明を添付図面を参照して単に一例として以下に更に説明する。
【図面の簡単な説明】
【００３６】
【図１】本発明の実施形態による容器のコネクタを形成するためのブランクの内面を示す図である。
【発明を実施するための形態】
【００３７】
図１では、ブランクの切断線又は外側境界を示すために実線が使用される。破線は、折り目を付ける、刻み目を入れる、エンボス加工する、又は同等の工程によりブランクの材料を圧縮又は部分的に切り離すことによって形成され、かつ容器の組立又はそこから容器の部品が形成される時にそれに沿ってブランクが曲げられるか又はヒンジとして作用する線を示すために使用される。
図１は、少なくとも３つのブランクで形成された本発明の実施形態による容器の個別のコネクタを形成するためのブランク１０を示している。ブランク１０は、５つの矩形パネル、すなわち、第１のパネル１２、第２のパネル１４、第３のパネル１６、第４のパネル１８、及び第５のパネル２０を含み、これらは、交互する水平及び垂直折り畳み線に沿って互いにヒンジ留め接続されている。
【００３８】
図１に示すように、第３のパネル１６の上縁は、第１の水平折り畳み線に沿って第１のパネル１２の下縁に接続され、第３のパネル１６の左側縁は、第２の垂直折り畳み線に沿って第４のパネル１８の右側縁に接続される。第５のパネル２０の上縁は、第３の水平折り畳み線に沿って第４のパネル１８の下縁に接続され、第５のパネル２０の左側縁は、第４の垂直折り畳み線に沿って第２のパネル１４の右側縁に接続される。
【００３９】
本発明による容器を形成するために、ブランク１０の第２のパネル１２、第３のパネル１６、第４のパネル１８、及び第５のパネル２０は、ブランク１０のパネルが互いの上に重なるように、水平及び垂直折り畳み線の周りに１８０度まで折り畳まれる。折り畳んだブランク１０では、第３のパネル１６が、第１のパネル１２の上に重なり、第４のパネル１８が、第３のパネル１６の上に重なり、第５のパネル２０が、第４のパネル１８の上に重なり、第２のパネル１４が、第５のパネル２０の上に重なっている。容器の形成を完了させるために、第１のパネル１２の外面は、第１のパックの第１の壁に固定され、第２のパネル１４の外面は、第２のパックの第１の壁に固定される。
使用時には、容器の第１のパック及び第２のパックは、コネクタの水平及び垂直折り畳み線の周りに互いに対して上、下、左、及び右の４つの異なる方向にヒンジで移動させることができる。
【符号の説明】
【００４０】
１０  ブランク
１２  第１のパネル
１６  第３のパネル
２０  第５のパネル
【図１】
2010534166.tif 000003
【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
各々が喫煙物品の個別の束を収容するための少なくとも２つのヒンジ留め接続されたパックを含む、喫煙物品のための容器であって、
第１の壁を有する第１のパックと、
第１の壁を有する第２のパックと、
第１の折り畳み線に沿って前記第１のパックの前記第１の壁にヒンジ留め連結され、かつ該第１の折り畳み線に対して実質的に垂直な第２の折り畳み線に沿って前記第２のパックの前記第１の壁にヒンジ留め連結されたコネクタ（１０）と、
を含むことを特徴とする容器。
【請求項２】
前記コネクタ（１０）は、前記第１のパック及び前記第２のパックの少なくとも一方と一体であることを特徴とする請求項１に記載の容器。
【請求項３】
少なくとも３つのヒンジ式パネルを含むコネクタ（１０）、
を含み、
前記コネクタは、
前記第１のパックの前記第１の壁に固定された第１のパネル（１２）、
前記第２のパックの前記第１の壁に固定された第２のパネル（１４）、及び
第１の折り畳み線に沿って前記第１のパネル（１２）にヒンジ留め接続され、かつ該第１の折り畳み線と実質的に垂直な第２の折り畳み線に沿って前記第２のパネル（１４）にヒンジ留め連結された第３のパネル（１６）、
を含む、
ことを特徴とする請求項１に記載の容器。
【請求項４】
前記コネクタ（１０）は、
前記第２の折り畳み線に沿って前記第３のパネル（１６）にヒンジ留め接続され、かつ該第２の折り畳み線と実質的に垂直な第３の折り畳み線に沿って前記第２のパネル（１２）にヒンジ留め連結された第４のパネル（１８）、
を更に含む、
ことを特徴とする請求項４に記載の容器。
【請求項５】
前記コネクタ（１０）は、
前記第３の折り畳み線に沿って前記第４のパネル（１８）にヒンジ留め接続され、かつ第４の折り畳み線と実質的に垂直な第５の折り畳み線に沿って前記第２のパネル（１２）にヒンジ留め接続された第５のパネル（２０）、
を更に含む、
ことを特徴とする請求項４に記載の容器。
【請求項６】
前記第１のパック及び前記第２のパックは、スライド及びシェル式パックであることを特徴とする請求項１に記載の容器。
【請求項７】
前記第１のパック及び前記第２のパックは、ヒンジ蓋パックであることを特徴とする請求項１に記載の容器。
【請求項８】
前記第１のパックは、該第１のパックの前記第１の壁にわたって延びるヒンジ線の周りでピボット回転可能なヒンジ蓋を有し、前記第２のパックは、該第２のパックの前記第１の壁にわたって延びるヒンジ線の周りでピボット回転可能なヒンジ蓋を有することを特徴とする請求項７に記載の容器。
【請求項９】
前記第１のパックは、該第１のパックの前記第１の壁に平行かつ対向する該第１のパックの第２の壁にわたって延びるヒンジ線の周りでピボット回転可能なヒンジ蓋を有し、前記第２のパックは、該第２のパックの前記第１の壁に平行かつ対向する該第２のパックの第２の壁にわたって延びるヒンジ線の周りでピボット回転可能なヒンジ蓋を有することを特徴とする請求項７に記載の容器。
【請求項１０】
前記第１のパック及び前記第２のパックは、異なる寸法のものであることを特徴とする請求項１から請求項９のいずれか１項に記載の容器。
【国際調査報告】
2010534166.tif 000004
2010534166.tif 000005
2010534166.tif 000006